(57)【特許請求の範囲】
【請求項１】
レンズ交換可能な電子カメラ装置において、
カメラ本体に装着された交換レンズによって前記カメラ本体内の撮像素子上に形成される画像の大きさであるイメージサイズの情報を、前記交換レンズから取得する取得手段と、
前記取得手段により前記交換レンズからイメージサイズ情報を取得できたか否かを判別する判別手段と、
前記判別手段により、前記交換レンズのイメージサイズ情報を取得できなかったと判別されたとき、前記交換レンズによって前記カメラ本体内の撮像素子上に形成された画像の各画素毎の輝度に基づき、前記交換レンズのイメージサイズを推定する推定手段と
を有することを特徴とする電子カメラ装置。
【請求項２】
前記推定手段によって推定されたイメージサイズに基づき、撮像範囲を決定する決定手段と、
前記交換レンズによって形成された前記撮像素子上の画像を、前記決定手段によって決定された撮像範囲で切り出す切出手段と、
前記切出手段によって切り出された画像を拡大する拡大手段と、
前記拡大手段により拡大された画像を撮影画像として記憶装置に格納する格納手段と
を更に有することを特徴とする請求項１記載の電子カメラ装置。
【請求項３】
前記決定手段は、前記推定手段によって推定されたイメージサイズが大きいほど、前記撮像範囲を大きく設定することを特徴とする請求項２記載の電子カメラ装置。
【請求項４】
前記推定手段は、前記各画素毎の輝度のうち少なくとも最大値を用いて、前記交換レンズのイメージサイズを推定することを特徴とする請求項１または請求項２記載の電子カメラ装置。
【請求項５】
前記拡大手段は、前記切出手段によって切り出された画像をデジタル信号処理により拡大することを特徴とする請求項１または請求項２記載の電子カメラ装置。
【発明の詳細な説明】
【０００１】
【発明の属する技術分野】
本発明は、電子カメラ装置に関し、特に、レンズ交換可能な電子カメラ装置に関する。
【０００２】
【従来の技術】
レンズ交換可能な電子カメラにおいては、従来、撮像素子上に結像されるべき画像の大きさとして想定しているイメージサイズが、カメラ本体毎に、また交換レンズ毎に異なる。そのため、カメラ本体と交換レンズとの接合部分であるマウントの径を、イメージサイズ毎に異なる値に設定して、同一のイメージサイズのカメラ本体と交換レンズとが組み合わせ装着されるようにしているものがある。
【０００３】
一方、このようなマウントの径が複数設定される交換レンズ方式では、交換レンズの汎用性が乏しいものとなるので、マウントの径を全て同一サイズにしたものもあるが、この場合には、カメラ本体のイメージサイズと交換レンズのイメージサイズとが異なる組み合わせ装着が発生する。この際、イメージサイズの大きな交換レンズがイメージサイズの小さなカメラ本体に装着された場合には支障ないが、その逆に交換レンズのイメージサイズが小さい場合には光束のケラレ（口径食）等の問題が生じる。
【０００４】
これに対し、例えば特開平２−３３２６７号及び特開平２−３３２６８号公報に示されるように、イメージサイズの小さな交換レンズをイメージサイズの大きなカメラ本体に対して装着することを機械的構造によって不可能にし、これによって、前記ケラレ等の問題の発生を防止するようにした装置がある。また、特開平２−３９７７７号公報に示されるように、交換レンズとカメラ本体とを電気的に接続し、交換レンズ側に記憶された交換レンズのイメージサイズに関連する情報に基づいて、カメラ本体側のイメージサイズに対して交換レンズのイメージサイズが適合するか否かを判定し、不適合とされた場合に（交換レンズ側のイメージサイズが小さい場合）、警告を発するようにした装置もある。
【０００５】
上述の電子カメラはいずれも、カメラ本体に対して交換レンズのイメージサイズが適合しない場合に、その交換レンズのカメラ本体への装着を回避することによってケラレ等の問題の発生を防止するものであり、交換レンズの汎用性が十分に確保されたわけではない。そこで、カメラ本体に適合しないイメージサイズの交換レンズが装着された場合であっても、ケラレのない良好な撮影画像を得ることができる次のような電子カメラが提案されている。
【０００６】
すなわち、交換レンズのイメージサイズを表わす情報をカメラ本体に入力する入力手段と、前記入力手段によって入力された前記情報に基づき、前記交換レンズのイメージサイズがそのままで前記カメラ本体に適合するか否かを判定する判定手段とを備え、前記判定手段によって不適合と判定されると、前記交換レンズによって形成される撮像素子上の像を表わす画像信号に対して電子回路で信号処理を行ない、前記撮像素子上の所定の範囲に対応する像を拡大する電子ズームにより、前記交換レンズのイメージサイズに前記カメラ本体を適合させる。
【０００７】
ところで、電子カメラでは、撮影画面の縦横比（アスペクト比）は備えられている撮像素子によってそれぞれ異なるものとなっており、フィルムカメラと同じ［２：３］のものもあるが、［３：４］のもの、［４：５］のものなど様々な種類のものが使用されている。これら従来の電子カメラでは、イメージサイズの異な０る交換レンズがカメラ本体に交換装着されたときでももアスペクト比はそのまま維持されるものであった。
【０００８】
【発明が解決しようとする課題】
しかしながら、上述した撮像素子上の所定の範囲の像を拡大する電子ズームを備えた従来の電子カメラにおいて、イメージサイズが撮像素子のイメージサイズよりも小さい交換レンズが装着され、且つ該電子カメラが、例えばアスペクト比が［４：５］の撮像素子を備えているとする。この場合に、電子ズームにより像を拡大することにより、上述のようにケラレが発生しないだけでなく、撮像素子のアスペクト比の制約からも開放され、元のアスペクト比［４：５］を必ずしも維持する必要はない。すなわち、撮像素子からの読み出し画像の大きさに対して有効領域の余裕があり、また一般的な銀塩フィルムカメラのアスペクト比である［２：３］に合わせたいとの要求がある場合には、むしろ、アスペクト比が変更されることが望ましい。
【０００９】
また逆にイメージサイズが小さい交換レンズが装着されている状態から、イメージサイズが撮像素子に対して十分に大きなサイズの交換レンズに交換したときには、設定されていたアスペクト比が撮像素子のアスペクト比と同じとは限らないので、そのままのアスペクト比を維持すると、撮像素子の有効領域の全てを使い切ることが出来ないという問題があった。
【００１０】
ところでまた、イメージサイズに関する情報を持たない交換レンズがカメラ本体に取り付けられた場合、カメラ本体で交換レンズのイメージサイズの大きさを知ることができないため、ケラレ等のある画像を撮影してしまったり、ケラレ画像を撮ることを避けるべく撮影を禁止してしまい、その結果、撮影のチャンスを逃してしまうといった問題があった。
【００１１】
また、こうした問題を解決するために、イメージサイズ情報を持つ交換レンズと、持たない交換レンズとでマウント形状を変更するという方法も考えられる。しかし、これはユーザが、イメージサイズ情報を持つ交換レンズに対応したカメラ本体と、対応しないカメラ本体とを同時に所有していた場合、同じ焦点距離の交換レンズを複数持たなければならないことになり、ユーザに不利益を招いていた。
【００１２】
本発明はこのような問題点に鑑みてなされたものであって、イメージサイズの情報を持たない交換レンズを装着された場合でも、ケラレのない撮影画像を得ることを可能にした電子カメラ装置を提供することを目的とする。
【００１４】
【課題を解決するための手段】
上記目的を達成するために、本発明の電子カメラ装置は、レンズ交換可能な電子カメラ装置において、カメラ本体に装着された交換レンズによって前記カメラ本体内の撮像素子上に形成される画像の大きさであるイメージサイズの情報を、前記交換レンズから取得する取得手段と、前記取得手段により前記交換レンズからイメージサイズ情報を取得できたか否かを判別する判別手段と、前記判別手段により、前記交換レンズのイメージサイズ情報を取得できなかったと判別されたとき、前記交換レンズによって前記カメラ本体内の撮像素子上に形成された画像の各画素毎の輝度に基づき、前記交換レンズのイメージサイズを推定する推定手段とを有することを特徴とする。
【００２３】
【発明の実施の形態】
以下、本発明の実施の形態を、図面を参照して説明する。
【００２４】
（第１の実施の形態）
図１及び図２は、本発明に係る電子カメラシステムの第１の実施の形態の構成を示すブロック図である。
【００２５】
図１及び図２に示すように、本電子カメラシステムは、デジタルカメラ本体１と、該デジタルカメラ本体１に着脱自在な撮影レンズ２とから構成される。撮影レンズ２は撮影光学系と撮影レンズユニットとによって構成され、撮影レンズユニットは撮影レンズ鏡筒に設けられ、撮影光学系を駆動する駆動手段や撮影光学系を透過する光束の入射光量を調整する光量制限手段等によって構成される。
【００２６】
本電子カメラシステムにおけるデジタルカメラ本体１では、シャッター１３が撮像素子２４への露光時間を調整し、シャッター制御回路１４が、システムコントローラ３からの制御に応じてシャッター１３を駆動する。
【００２７】
ミラー１５は、撮影レンズ２からの光束を観察光学系に向け、撮影者に撮影画像を観察させるためのものであり、ミラー駆動回路１６がミラー１５を駆動制御する。この観察光学系は、ピント板３２と、撮像サイズに合わせてファインダー視野率を変更する透過型液晶板３１と、ペンタプリズム３３と、ペンタプリズム３３からの射出光の一部を測光系に振り向けるためのハーフミラーからなる測光ミラー３４と、撮影者が撮影画像を観察するための接眼レンズ４２とから成る。
【００２８】
この測光系は、測光センサー３６上に被写体像を結像させるための測光レンズ３５と、測光センサー３６と、測光センサー３６からの出力をＡ／Ｄ変換すると共にシステムコントローラ３からの指示により測光センサー３６を制御する測光回路３７とから成る。
【００２９】
姿勢検知センサー２２はデジタルカメラ本体１の姿勢を検知する。
【００３０】
測距センサー１７は、カメラから被写体までの距離を測定するためのセンサーであり、測距回路１８が測距センサー１７を駆動する。
【００３１】
撮像素子２４はＣＣＤ（Charge Coupled Device）等からなり、撮影レンズ２の撮影光学系によって結像された被写体像を受けて電気信号に光電変換し、静止画像を表わす画像信号を生成する。
【００３２】
測色センサー１０は、撮影した画像のホワイトバランスを調整するために外光色を測色し、ホワイトバランス用Ａ／Ｄ回路１１が、測色センサー１０の出力をＡ／Ｄ変換し、ホワイトバランス制御回路１２が、ホワイトバランス用Ａ／Ｄ回路１１からの出力を受けてホワイトバランス補正値をシステムコントローラ３に送る。
【００３３】
撮像回路２５は、ホワイトバランス補正値をホワイトバランス制御回路１２からシステムコントローラ３経由で受け取り、撮像素子２４によって生成された画像信号に対してホワイトバランス補正を行うとともに、その他の所定の画像処理等を施す。Ａ／Ｄ変換回路２６は、この撮像回路２５から出力される画像信号（アナログ信号）をデジタル信号に変換し、メモリ３０に一時的に記憶する。メモリ３０はＤＲＡＭ等からなるバッファメモリであり、ホワイトバランス補正値等の各種データをも一時的に記憶する。
【００３４】
液晶ディスプレイ装置（以下「ＬＣＤ」という）４１は画像を表示し、ＬＣＤ制御回路４０がこのＬＣＤ４１を制御する。ＬＣＤ制御回路４０はまた、メモリ３０に一時的に記憶されたデジタル画像信号を読み出して、これを画像として表示するのに最適な形態のアナログ信号に変換し、ＬＣＤ４１へ伝送する。さらに、透過型液晶板３１を制御してファインダー視野率を制御する。
【００３５】
画像処理回路２９は、メモリ３０に一時的に記憶されているデジタル画像信号を読み出して所定の画像処理を施し、圧縮伸長回路２８が、この画像処理回路２９からの出力信号を受けて、記録媒体２７に記録するのに最適な形態の画像データとなるように圧縮処理等を施す。さらに、記録媒体２７に圧縮された形態で記録されている画像データを読み出して、これに対して各種の画像処理を施し得る形態の画像信号となるように伸長処理等を施す。記録媒体２７はメモリカード等からなり、画像信号を所定の形態の画像データとして記録する。なお、画像処理回路２９にはアスペクト比設定回路５３が接続される。アスペクト比設定回路５３には、予め設定されたアスペクト比が格納される。
【００３６】
ストロボ１９は、撮影を行なう際に、必要に応じて所定の補助光束を照射する。
【００３７】
システムコントローラ３は、デジタルカメラ本体１及び撮影レンズ２からなる電子カメラシステム全体の電気回路を制御する。
【００３８】
外部インターフェース（Ｉ／Ｆ）３８は、デジタルカメラ本体１と外部機器（図示せず）との間で送受信される制御信号等を制御してデータ転送等を行なう。接続部５４は、外部インターフェース（Ｉ／Ｆ）３８を介してデジタルカメラ本体１と外部機器とを電気的に接続する接続ケーブルが接続される。
【００３９】
レリーズＳＷ（１）５、レリーズＳＷ（２）６、撮影準備ＳＷ７、ズームＳＷ８、アスペクト比設定ＳＷ９は各々、デジタルカメラ本体１の外装部に配設された各種の操作ボタンの操作に連動して所定の指示信号を発生し、操作手段４が、これらのスイッチから出力された指示信号を受けて所定のコマンドをシステムコントローラ３に出力する。
【００４０】
駆動回路２１は、撮影レンズユニットの各種の駆動手段を制御する。インターフェース（Ｉ／Ｆ）手段２０は、撮影レンズユニットに設けられる記憶手段４９に記憶された撮影光学系に関する各種の情報を受け取るための制御を行う。電気接点１ａは、デジタルカメラ本体１と撮影レンズ２とを連結した際に両者の間を電気的に接続し、記憶手段４９からの出力信号をデジタルカメラ本体１側に入力するための信号経路の接点部材であり、電気接点１ｂは、システムコントローラ３からの制御信号等を撮影レンズ２の各駆動手段に出力するための信号経路の接点部材である。
【００４１】
一方、撮影レンズ２は、以下のように構成されている。即ち、撮影レンズ２の撮影光学系は、変倍光学系であるズームレンズ群４３と、合焦光学系であるフォーカスレンズ群４５と、撮影光学系により集光される被写体からの光束（以下「被写体光束」という）の入射光量を制限する絞り部４４とから構成される。また、撮影レンズ２の撮影レンズユニットは、ズームレンズ群４３を撮影光学系の光軸Ｏに沿う方向へと移動させるズームモータ４６と、フォーカスレンズ群４５を撮影光学系の光軸Ｏに沿う方向へと移動させるＡＦモータ４８と、絞り部４４を駆動する絞りアクチュエータ４７と、撮影レンズ２に関する固有の種々の情報、例えばイメージサークル情報やシェーディング補正情報等の各種の情報が予め記憶されているＲＯＭ等からなる記憶手段４９とによって構成されている。
【００４２】
そして、撮影レンズ２の鏡筒の後端面の所定の位置には電気接点２ａ，２ｂが配設され、デジタルカメラ本体１側の前面に設けられた電気接点１ａ，１ｂに接触することでデジタルカメラ本体１と撮影レンズ２とを電気的に接続し、これによって、撮影レンズ２の記憶手段４９から所定の情報がデジタルカメラ本体１側に出力され、また、デジタルカメラ本体１のシステムコントローラ３から制御信号が撮影レンズ２の各部に送られる。
【００４３】
このように本電子カメラシステムを構成するデジタルカメラ本体１と撮影レンズ２とは、それぞれ別体に構成されてなるものであるが、デジタルカメラ本体１に対して撮影レンズ２を機械的に装着することができるようになっている。このように両者が機械的に連結されると、それぞれに設けられている電気接点１ａ，１ｂと電気接点２ａ，２ｂとがそれぞれ接触するようになっており、これによって両者間における電気的な接続が確立する。
【００４４】
レンズ着脱検知手段２３は、図３に示すカメラ側マウント部５１の前面の一部に設けられた撮影レンズ装着検出用ピン５０に配設されていて、撮影レンズ２がデジタルカメラ本体１に装着されると、該撮影レンズ装着検出用ピン５０が押し込まれ、これによって、レンズ着脱検知手段２３がシステムコントローラ３に装着確認信号を送信するようになっている。図３は、デジタルカメラ本体１と撮影レンズ２とを示す斜視図であり、デジタルカメラ本体１から撮影レンズ２を取り外した状態を示している。
【００４５】
なお図３において、デジタルカメラ本体１には、上面の一側方寄りにレリーズボタン５６と、ＬＣＤ部４１とが配設され、前面中央にカメラ側マウント部５１が配設される。また、レリーズボタン５６内部にはレリーズＳＷ（１）５、レリーズＳＷ（２）６が配置されている。さらに、撮影レンズ２がデジタルカメラ本体１に装着された際に、カメラ側マウント部５１に設けられた電気接点１ａ，１ｂと、撮影レンズ２の対向する面の一部に設けられた電気接点２ａ，２ｂとが、互いに接触し、デジタルカメラ本体１と撮影レンズ２とが電気的に接続するようになっている。
【００４６】
撮影レンズ２がデジタルカメラ本体１に装着されると、デジタルカメラ本体１の内部に設けられたシステムコントローラ３が、デジタルカメラ本体１の内部の各種の電気回路に加え、撮影レンズ２の内部の各種の電気回路とも電気的に接続されることになり、システムコントローラ３は本電子カメラシステム全体を制御する。
【００４７】
なお、本デジタルカメラ本体１における画像信号及びこれに付随する各種の画像情報を画像データファイルとして記録するための記録媒体２７としては、例えばカード形状やスティック形状等の着脱自在に配設される半導体メモリ、フロッピー（登録商標）ディスク、小型ハードディスク、磁気テープ等の磁気記録媒体、ＭＯ（Magneto-Optical）ディスク、ＭＤ（Mini Disk）等の光磁気記録媒体、カメラ本体に固定される固定半導体メモリ等が用いられる。
【００４８】
また、複数の入力スイッチ５〜９は、上述したように操作手段４を介してシステムコントローラ３に対して各種の指示信号を与えるためのものである。そして、システムコントローラ３は、この操作手段４を介して伝送される入力スイッチ５〜９からの指示信号を受けて、指示信号に応じた所定の制御を実行するようになっている。
【００４９】
入力スイッチ５〜９のうちレリーズＳＷ（１）５は、レリーズ操作部材に連動し、測光、ＡＦ（自動合焦）といった撮影準備動作を実行するための所定の指示信号を発生する。レリーズＳＷ（２）６は、レリーズ操作部材に連動し、撮影動作等を実行するための所定の指示信号を発生する。撮影準備ＳＷ７は、撮影モード選択部材又はマクロ撮影操作部材等（共に図示せず）に連動し、近接撮影に適した動作（ＡＦ制御等）を行なう近接撮影モードと通常の撮影を行なう通常撮影モードとを切り換えるための指示信号を発生する。ズームＳＷ８は、撮影範囲を設定するためのズーム操作部材（図示せず）に連動して、所望の変倍率に設定するための指示信号を発生する。アスペクト比設定ＳＷ９は、画像の切り出し領域のアスペクト比を変更するための指示信号を発生する。
【００５０】
記憶手段４９には、撮影レンズ２を構成する撮影光学系に関する各種の情報、即ち、レンズの歪曲収差等の情報やイメージサークルに関する情報が予め記憶される。イメージサークルに関する情報としては、例えば撮影光学系におけるイメージサークル（撮影レンズ２によって撮像素子面上に投影された円形の撮影画面）での範囲情報や、このイメージサークル内の所定の領域における周辺光量の低下量（減光率）等である。なお、以下の説明においては、これら撮影光学系に関する各種の情報であって、撮影光学系に固有の各種の情報をまとめて以下では「イメージサークル情報」と呼ぶものとする。
【００５１】
そして、撮影レンズ２がデジタルカメラ本体１に対して装着され、電気接点２ａ，２ｂ及び電気接点２ａ，２ｂを介して電気的に接続されると、必要に応じてデジタルカメラ本体１側のシステムコントローラ３は、Ｉ／Ｆ手段２０を介して必要な情報を記憶手段４９より読み込むことができるようになっている。
【００５２】
以上のように構成された電子カメラシステムにおいて、写真撮影が行なわれる際の動作処理を、以下に説明する。
【００５３】
まず、デジタルカメラ本体１のカメラ側マウント部５１（図３）と撮影レンズ２の撮影レンズ側マウント部５２（図３）とを連結する。すると、デジタルカメラ本体１の電気接点１ａ，１ｂと撮影レンズ２の電気接点２ａ，２ｂとがそれぞれ接触状態となる。これによって両者の間は、電気的な接続が確保された状態となる。
【００５４】
この状態において、デジタルカメラ本体１の主電源が投入されることによって、本電子カメラシステムは、撮影記録動作を開始し得る撮影準備状態になる。即ち、この主電源が投入されることによって、システムコントローラ３が起動して、システムコントローラ３は、本電子カメラシステムにおける回路全体の初期化を行なう。そして、この初期化処理が完了すると、システムコントローラ３はＩ／Ｆ手段２０を制御し、電気接点１ａ及び電気接点２ａを介して記憶手段４９からイメージサークル情報を読み込む。このとき読み込まれるイメージサークル情報は、上述したように、装着された撮影レンズ２を構成する撮影光学系に関する固有の情報である。
【００５５】
このようにしてシステムコントローラ３によってデジタルカメラ本体１側に読み込まれたイメージサークル情報は、デジタルカメラ本体１のメモリ３０の所定の領域に一時的に記憶される。なお、メモリ３０に一時的に記憶されたイメージサークル情報は、デジタルカメラ本体１の主電源がオフ状態にされたとき無効な情報として扱われ、次回のシステム起動時における初期化処理において消去される。そして、撮影レンズ２の記憶手段４９からイメージサークル情報を読み込むための処理が改めて実行される。
【００５６】
また、メモリ３０に一時的に記憶されたイメージサークル情報は、撮影レンズ２がデジタルカメラ本体１から取り外され、電気接点１ａと電気接点２ａとの間の電気的な接続が切り離されたときにも無効化されるようになっている。この場合には、他の撮影レンズがデジタルカメラ本体１に装着され、電気接点１ａと電気接点（２ａ）との間の電気的な接続が新たに確立されることを待って、システムコントローラ３が、自動的に記憶手段（４９）からイメージサークル情報を読み込む。これによってメモリ３０では、新たなイメージサークル情報がそれまでのイメージサークル情報に対して上書きされることになる。
【００５７】
以上のようにして、本電子カメラシステムが撮影準備状態になった後、撮影を行なうための所定の操作が行なわれると、所定の撮影動作処理が開始される。
【００５８】
このとき行なわれる撮影動作処理は、従来の一般的な電子カメラ等において行なわれる撮像動作処理と同様である。即ち、デジタルカメラ本体１の外装部に設けられているレリーズ操作部材（図示せず）が操作されて、レリーズＳＷ（１）５が所定の指示信号を発生すると、この信号を受けたシステムコントローラ３が各回路を制御して、ＡＥ・ＡＦ動作等を行い、さらにレリーズ操作部材が操作されて、レリーズＳＷ（２）６が所定の指示信号を発生すると、この信号を受けたシステムコントローラ３が各回路を制御して、所望の画像情報を記録する処理を実行する。こうした撮像動作処理については、本発明に直接関係しない部分であるので、その詳細な説明は省略する。
【００５９】
ここで、撮像素子２４、撮像回路２５等の動作により取得された画像信号は、Ａ／Ｄ変換回路２６を介してデジタル信号としてメモリ３０の所定の領域に一時的に記憶される。
【００６０】
このメモリ３０に一時的に記憶された画像信号は、画像処理回路２９及び圧縮伸長回路２８を介して所定の形態の画像情報として記録媒体２７に記録されると同時に、ＬＣＤ制御回路４０を介してＬＣＤ４１に送られ、画像として表示される。
【００６１】
取得された画像信号がメモリ３０に伝送され、これに記憶された時点においては、メモリ３０に、撮影レンズ２の記憶手段４９から読み込まれたイメージサークル情報が記憶されている。そこで、システムコントローラ３は、撮像素子２４、画像信号を記録媒体２７に記録する際に、メモリ３０に記憶されているイメージサークル情報を、該画像信号に関連付けて記録媒体２７に記録するようにする。すなわち、システムコントローラ３は、取得した画像信号と、この画像信号を取得するのに用いられた撮影光学系、即ち撮影時にデジタルカメラ本体１に装着されていた撮影レンズ２の撮影光学系に関するイメージサークル情報とを関連付けて、記録媒体２７の所定の領域に記録することになる。
【００６２】
なお、システムコントローラ３は、上述の各種の情報を記録媒体２７に記録する際に、このデジタルカメラ本体１に配設された撮像素子２４に関する情報、例えば受光面の対角線長さやアスペクト比等のサイズ情報等（以下「受光面サイズ情報」という）を、画像信号に関連付けを行なった上で記録媒体２７に記録するようにしてもよい。この場合、撮像素子２４に関する各種の情報（受光面サイズ情報）を、例えば本デジタルカメラ本体１の内部にＲＯＭ等の記憶手段（図示せず）を設け、これに記憶させておくように構成すればよい。そして、本電子カメラシステムの起動時等、必要に応じて必要な情報をシステムコントローラ３の内部に設けられる内部メモリやメモリ３０等に読み込むようにすればよい。
【００６３】
このようにして、記録媒体２７に記録された画像信号及びこれに関連する各種の情報からなる画像データファイルは、例えば本デジタルカメラ本体１の外装部に設けられる接続部５４に対して電気的に接続される接続ケーブル等を介して、パーソナルコンピュータ等に代表される各種の外部情報機器（図示せず）に向けて伝送することも可能である。
【００６４】
また、画像データファイルが記録された記録媒体２７を、デジタルカメラ本体１に対して着脱自在に配設するようにしたＰＣカード等によって構成しておけば、さらに容易に外部情報機器との間でデータ移送を行なうことが可能となる。そして、画像データファイルが移送された外部情報機器等においては、この画像データファイルに基づいて、画像信号を、自己が備える表示装置等に最適な形態の画像に変換して表示することができる。
【００６５】
ところで、本実施の形態の電子カメラシステムにおいては、上述したようにシステムの起動時や撮影レンズ２の交換時に、デジタルカメラ本体１のシステムコントローラ３が、デジタルカメラ本体１に装着された撮影レンズ２における記憶手段４９よりイメージサークル情報を読み込んでメモリ３０に一時的に記憶する。また、デジタルカメラ本体１の撮像素子２４に関する各種の情報も所定の手続きを経てメモリ３０に一時的に記憶される。
【００６６】
一方、電子カメラシステムにおいて撮影時に取得された画像信号は、撮影時に使用されたデジタルカメラ本体１と撮影レンズ２との組み合わせによっては、例えば撮影画面周辺部においてケラレの発生が見られる場合もあり得る。つまり、撮影時にデジタルカメラ本体１に装着されていた撮影レンズ２の撮影光学系が該デジタルカメラ本体１に対して不適切なものであったことに起因して、こうしたケラレが発生する。
【００６７】
本実施の形態では、こうした撮影画像の周辺部においてケラレが生ずるか否かの判断を、上述の撮影光学系のイメージサークル情報と撮像素子２４の受光面サイズ情報とを比較することで行うようにする。
【００６８】
すなわち、撮影光学系のイメージサークル情報と撮像素子２４の受光面サイズ情報とがメモリ３０に一時的に記憶された時点において、システムコントローラ３が両情報を比較し、これによって、デジタルカメラ本体１に装着された撮影レンズ２が適切なものであるか否か、ケラレを生じさせずに良好な画像信号を取得し得るものであるか否か等の判断を行う。
【００６９】
そして、システムコントローラ３は、デジタルカメラ本体１に装着された撮影レンズ２が適切なものであると判断した場合には、通常の初期化処理を実行して本電子カメラシステムは撮影準備状態となる。次いで、一連の撮影動作が実行され、記録処理が実行される。このとき記録媒体２７に記録される画像データファイルは、撮影動作処理によって取得された画像信号と、これに関連付けられた所定の各種の情報とによって生成される。
【００７０】
このようにして記録媒体２７に記録された画像データファイルに基づいて画像の再生表示を実行する場合には、画像信号に対応する所定の関連情報が参照されるが、ケラレが生じ得ないことは、上述の比較処理によって判明しているので、特に補正処理等の特別な処理はなされず、通常の画像処理が実行された後、その画像信号に基づく画像がＬＣＤ４１に再生表示される。
【００７１】
一方、比較処理による比較の結果、デジタルカメラ本体１に装着された撮影レンズ２が不適切なものであると判断された場合には、次に示すような制御がなされる。
【００７２】
つまり、この状態でそのまま撮影を行なうと、撮影画像の周辺部において、光量不足に起因して所定の画質を維持することができず、画像の周辺部にケラレが生じる可能性が考えられる。そこで、その旨を警告手段によって撮影者に警告する。警告手段としての具体例は下記に記すが、これをデジタルカメラ本体１側に設けるようにする。そして、この警告手段による警告を受けた撮影者は、そのまま撮影動作を続行するか、または他の適切な撮影レンズへの交換を行なうかを判断することになる。
【００７３】
このとき撮影者が、そのまま撮影を続行することを選択した場合、記録媒体２７に記録される画像データファイルには、撮影動作処理によって取得された画像信号と、これに関連付けがなされたイメージサークル情報等の各種の情報が記録されることになる。
【００７４】
また、撮影者が、他の適切な撮影レンズに交換することを選択した場合は、撮影ミス等の可能性を未然に防ぐことができる。つまり、この場合には、撮影者が適切な撮影レンズへと交換することになるので、以後の撮影動作処理によって取得される画像信号には問題がなく、したがって、その後の記録処理において補正処理等は行われない。かくして、ケラレの要因が未然に取り除かれて、常に良質な画像を表わす画像信号を取得することができると共に、デジタルカメラ本体１内部における画像処理が簡略化されるので、記録処理の高速化が図られる。
【００７５】
なお、上述の警告手段の具体的な例としては、次のようなものがある。
【００７６】
例えば、撮影すべき画像を観察するためのファインダー部における観察画像枠の外周縁部等にＬＥＤ等を警告手段として設ける。これを点灯表示させることで所定の警告表示を行なう。これは一般的な光学ファインダー部に対して適用し得る手段である。
【００７７】
また、電子カメラシステムにおいては、撮影すべき画像を観察するためのファインダー部としてＬＣＤ４１を利用することが一般的に行われている。このような場合には、ＬＣＤ制御回路４０によってＬＣＤ４１の表示画面枠内の所定の領域に所定の警告表示を表示するようにする。これによって、所望の警告手段とすることができる。
【００７８】
さらに、こうした視覚的な警告手段とは別に、あるいは視覚的な警告手段に加えて、発音体３９（図２）に所定の時間だけ警告音等を発生させるようにしてもよい。
【００７９】
他方、装着された撮影レンズ２がデジタルカメラ本体１にとって不適切なものであると、システムコントローラ３が判断した場合には、次に示すような処理を実行するようにしてもよい。
【００８０】
まず、通常の撮影動作処理が実行された後の記録処理において、撮影動作処理によって取得されメモリ３０に記憶された画像信号は、システムコントローラ３により制御される画像処理回路２９において、表示に適した形態となるように所定の画像処理を施される。すなわち、対象となる画像信号に対して切出処理が実行され、画像信号に対応するイメージサークル情報が参照されて、その画像信号のうち所定の光量が得られる領域部分が切り出される。その後、この切出処理が施された画像信号に対しては、受光面サイズ情報が参照されて、これに応じた表示解像度となるように拡大処理が施され、最後に、この画像信号と、対応するイメージサークル情報、受光面サイズ情報等の各種情報とを関連付けた画像データファイルが記録媒体２７の所定の領域に記録される。
【００８１】
つまりこの場合には、ケラレが発生していない領域を切り出した後、拡大処理を施した画像信号を記録するようにしている。これによって、常に良質な画像を表す画像信号が記録媒体２７に記録されることになる。
【００８２】
このように、撮影動作処理の直後に実行される画像信号の記録処理において上記の所定の画像処理が施されるので、画像の再生表示を行なう際には特別に補正処理等の画像処理を実行する必要がない。これによって所望の画像を再生表示する際の処理速度を高速化することができる。
【００８３】
また、アスペクト比設定ＳＷ９の操作によって、画像切り出し領域のアスペクト比の変更が指示されると、予め設定されている第１のアスペクト比（例えば、一般的な銀塩フィルムカメラのアスペクト比である［２：３］）を、アスペクト比設定回路５３に記憶されている第２のアスペクト比（例えば、撮像素子２４の受光面と同じアスペクト比）に変更するようにする。図４は第１のアスペクト比に基づく画像切り出し領域を、図５は第２のアスペクト比に基づく画像切り出し領域を示す図である。
【００８４】
図６は、アスペクト比変更を行う画像切出処理の手順を示すフローチャートである。
【００８５】
撮影レンズ２がデジタルカメラ本体１に装着されると（Ｓ１）、撮影レンズ２の記憶手段４９からデジタルカメラ本体１へＩ／Ｆ手段２０を介してイメージサークル情報が伝達され、イメージサークル情報からイメージサークルの大きさが検出される（Ｓ２）。そして、イメージサークル内に撮像素子２４の受光面の全てが位置するか否かが判別され（Ｓ３）、イメージサークル内に撮像素子２４の受光面の全てが位置するとき、適合と判定してステップＳ８に進み、それ以外を不適合と判定してステップＳ４に進む。
【００８６】
ステップＳ８では、画像処理回路２９によって画像処理を行い、得られた画像信号と、対応するイメージサークル情報、受光面サイズ情報等の各種情報とを関連付けて画像データファイルを生成する。生成された画像データファイルは記録媒体２７の所定の領域に記憶される（Ｓ９）。
【００８７】
ステップＳ４では、アスペクト比設定ＳＷ９の操作によって、画像切り出し領域のアスペクト比の変更が指示されたか否かが判別され、アスペクト比の変更が指示されていない場合は、ステップＳ５へ進んで、所定の光量が得られる領域部分を、予め設定された第１のアスペクト比によって切り出す切出処理が行われる。一方、アスペクト比の変更が指示された場合は、ステップＳ６へ進んで、所定の光量が得られる領域部分を、アスペクト比設定回路５３に記憶された第２のアスペクト比によって切り出す切出処理が行われる。
【００８８】
各切出処理の終了した後のステップＳ７では、切出処理が施された画像信号に対して、受光面サイズ情報を参照して、これに応じた表示解像度となるように拡大処理が施される。ここでの拡大処理は、切出処理が施された画像信号に対してデジタル信号処理により拡大を行う。そして、この拡大処理が施された画像信号と、対応するイメージサークル情報、受光面サイズ情報等の各種情報とを関連付けた画像データファイルが生成され（Ｓ８）、生成された画像データファイルが記録媒体２７の所定の領域に記憶される（Ｓ９）。
【００８９】
このようにして、撮像素子２４の受光面の全てをイメージサークル内に収容しきれない撮影レンズ２がデジタルカメラ本体１に装着されて撮影が行われる場合において、任意のアスペクト比で画像を切り出し、拡大処理を施すことにより、ケラレのない撮影画像を得ることができる。
【００９０】
（第２の実施の形態）
次に第２の実施の形態を説明する。
【００９１】
第２の実施の形態の構成は、基本的に第１の実施の形態の構成と同じである。そのため、第２の実施の形態の説明においては、第１の実施の形態の構成と同一部分には同一の参照符号を付してその説明を省略し、異なる部分だけを説明する。ただし、第２の実施の形態のＬＣＤ４１では、後述のように撮像範囲が決定されたときに、該撮像範囲のマークを画像とともに表示する。また、ＬＣＤ制御回路４は、撮像範囲が決定されたときに、ファインダ視野枠を決定して透過型液晶板３１に表示する。
【００９２】
図７は、第２の実施の形態における電子カメラシステムの一部の構成を示すブロック図であり、図２に示す第１の実施の形態における構成に対応するものである。
【００９３】
第２の実施の形態では、イメージサイズ判別スタートＳＷ５５が操作手段４に対して新たに設けられる。第１の実施の形態におけるアスペクト比設定ＳＷ９及びアスペクト比設定回路５３は存在しない。
【００９４】
イメージサイズ判別スタートＳＷ５５は、撮影レンズ２のイメージサイズ情報判別シーケンスをスタートさせるためのスイッチである。
【００９５】
なお、第２の実施の形態では、図３に示すように、レリーズボタン５６近傍にイメージサイズ判別スタートＳＷ５５を配置する。
【００９６】
図８は、視野枠の切換え可能なファインダー光学系及び測光光学系の構成を示す側面図である。
【００９７】
このファインダー光学系は、撮影レンズ２（ズームレンズ群４３、絞り部４４、フォーカスレンズ群４５）と、可動ミラー１５と、透過型液晶板３１と、ピント板３２と、ペンタプリズム３３と、ハーフミラー３４と、接眼レンズ４２とから構成される。また測光光学系は、撮影者に向かう光束の一部を測光センサー３６に導くハーフミラー３４と、測光レンズ３５と、測光センサー３６とで構成される。透過型液晶板３１は、ペンタプリズム３３の入射面とピント板３２との間に設けられており、ＬＣＤ制御回路４０に接続されて表示状態を制御され、撮像サイズに合わせた大きさの画面サイズ視野枠が電気的に表示されるようになっている。この透過型液晶板３１に表示される大画面時の視野枠ａと中画面時の視野枠ｂと小画面時の視野枠ｃとを、図９の（Ａ）、（Ｂ）、（Ｃ）にそれぞれ示す。視野枠の切り換えは、撮影画面サイズが決定された段階においてシステムコントローラ３の指示により行われる。
【００９８】
図１０は、イメージサイズ情報に応じてＬＣＤ４１に表示されるアイコンを示す図である。
【００９９】
このＬＣＤ４１でのアイコン表示は、撮影レンズ２のイメージサイズ情報に連動しており、イメージサイズ情報が「大」、「中」、「小」の時、アイコン「Ｌ」、「Ｍ」、「Ｎ」が図１０（Ａ）、（Ｂ）、（Ｃ）に示すようにそれぞれ表示される。また、イメージサイズ情報を持たない撮影レンズが装着された時には、同図１０（Ｄ）に示すように、アイコン「Ｌ」、「Ｍ」、「Ｎ」が全て点滅表示され、撮影者に対してイメージサイズ情報のない撮影レンズが取り付けられていることを警告する。また、警告は画像表示だけでなく発音体３９を使って同時に音声によっても行われる。
【０１００】
ここで、デジタルカメラ本体１側のシステムコントローラ３と撮影レンズ２側のシステムコントローラ（図示せず）との間で行われる信号の送受信について簡単に説明する。
【０１０１】
まず、デジタルカメラ本体１側のシステムコントローラ３が、撮影レンズ装着検出用ピン５０の押し込みによってレンズ着脱検知手段２３から出力された装着確認信号を読み込むと、装着された撮影レンズ２のイメージサイズ情報を得るためのコマンドを撮影レンズ２側のシステムコントローラヘ送信する。このコマンドを受信した撮影レンズ２側のシステムコントローラ３は、自撮影レンズのイメージサイズ情報をデジタルカメラ本体１側のシステムコントローラ３ヘ送信する。
【０１０２】
次に、デジタルカメラ本体１に装着された撮影レンズ２がイメージサイズ情報を持たないときにそのイメージサイズを推定し、その推定されたイメージサイズに基づき画像切り出しを行う処理を、図１１〜図１４を参照して説明する。
【０１０３】
図１１及び図１２は、デジタルカメラ本体１のシステムコントローラ３において実行される撮影レンズのイメージサイズ推定処理及び画像切出処理の手順を示すフローチャートである。
【０１０４】
まず、デジタルカメラ本体１の主電源が投入されると、本電子カメラシステムは、撮影記録動作を開始し得る撮影準備状態になる。即ち、この主電源が投入されることによって、システムコントローラ３が起動し、システムコントローラ３は、本電子カメラシステムの回路全体の初期化を行なう（ステップＳ１１）。
【０１０５】
デジタルカメラ本体１のカメラ側マウント部５１と撮影レンズ側マウント部５２とを連結すると、デジタルカメラ本体１の電気接点１ａ，１ｂと撮影レンズ２の電気接点２ａ，２ｂとが接触状態となる。これによって両者の間は、電気的な接続が確保された状態となる。撮影レンズ装着検出用ピン５０の押し込みによってレンズ着脱検知手段２３から出力される装着確認信号を監視し、撮影レンズ２がデジタルカメラ本体１に装着されているか否かを判断する（ステップＳ１２）。撮影レンズ２がデジタルカメラ本体１に装着されている場合、ステップＳ１３へ進む。
【０１０６】
ステップＳ１２において撮影レンズ２がデジタルカメラ本体１に装着されていると判断された場合、システムコントローラ３はＩ／Ｆ手段２０を制御し、電気接点１ａ及び電気接点２ａを介して撮影レンズ２の記憶手段４９からイメージサークル情報を読み込む。このとき読み込まれるイメージサークル情報は、上述したように、装着された撮影レンズ２の撮影光学系に関する固有の情報である。このとき、システムコントローラ３は、撮影レンズ２がイメージサイズ情報を持っていたか否かを判別する（Ｓ１３）。撮影レンズ２がイメージサイズ情報を持っていればステップＳ２５に進む。イメージサイズ情報を持たない場合、ステップＳ１４に進む。
【０１０７】
このようにしてシステムコントローラ３によってデジタルカメラ本体１側に読み込まれたイメージサークル情報は、本デジタルカメラ本体１のメモリ３０の所定領域に一時的に記憶される。なお、メモリ３０に一時的に記憶されたイメージサークル情報は、本デジタルカメラ本体１の主電源がオフ状態にされたときに無効な情報として扱われ、次回のシステム起動時に初期化処理によって消去される。そして、撮影レンズ２の記憶手段４９から所定のイメージサークル情報を読み込むための制御が改めて実行される。また、メモリ３０に一時的に記憶されたイメージサークル情報は、撮影レンズ２がデジタルカメラ本体１から取り外され、電気接点１ａ及び電気接点２ａの間の電気的な接続が切り離されたときにも無効化されるようになっている。この場合には、他の撮影レンズがデジタルカメラ本体１に装着され、電気接点１ａ及び電気接点２ａの間の電気的な接続が新たに確立されることを待って、システムコントローラ３が、該他の撮影レンズの記憶手段からイメージサークル情報を読み込む制御を実行する。これによってメモリ３０には、新たなイメージサークル情報が無効化された情報に上書きされることになる。
【０１０８】
次にステップＳ１４において、撮影者に対して、イメージサイズ情報を持たない撮影レンズが装着されたことを警告するために、ＬＣＤ４１において撮影画面サイズマーク（アイコン「Ｌ」、「Ｍ」、「Ｎ」）全てを点滅表示させ、かつ発音体３９に警報音を出力させる。
【０１０９】
次にステップＳ１５において、イメージサイズ判別スタートＳＷ５５が操作されたか否かを判別する。操作された場合ステップＳ１８に進み、操作されない場合、ステップＳ１６に進む。
【０１１０】
ステップＳ１６においては、レリーズＳＷ（１）５が操作されたか否かを判別する。操作されていないければステップＳ１５に戻り、操作されていればステップＳ１７に進み、レリーズシーケンスを実行する。レリーズシーケンスについては図１３及び図１４を参照して後述する。
【０１１１】
ステップＳ１８においては、ミラー１５、シャッター１３を駆動し、撮像素子２４の全画素の画像データを取り込む。取り込まれた全画素のデータは、撮像回路２５、Ａ／Ｄ変換回路２６を介してメモリ３０の所定の領域に一時的に記憶される。
【０１１２】
ステップＳ１９においては、メモリ３０上に一時的に記憶された画像データをシステムコントローラ３によって解析を行う。解析は以下のように行われる。
【０１１３】
まず、画像データ全体の輝度分布を求め、図１５に示すような輝度マップを作る。図１５は、輝度マップの一例を示す図である。
【０１１４】
そして、作成された輝度マップを基にして、システムコントローラ３が全画素の画像データの中の最大輝度値を求める。
【０１１５】
ステップＳ２０では、求めた最大輝度値を所定値と比較し、最大輝度値が所定値（例えばＥＶ６）よりも大きい場合ステップＳ２１へ進み、一方、最大輝度値が所定値以下である場合ステップＳ２２へ進んで、撮影レンズ２のイメージサイズが小であると見なして撮影レンズ２のイメージサイズを小に設定する。すなわち、最大輝度値が所定値以下である（画像輝度レベルが全体的に低い）と、この画像データを基に撮影レンズ２のイメージサイズを推定しても、イメージサイズ小の撮影レンズを大と誤判定する可能性がある。そのため、本実施の形態では、最大輝度値が所定値以下である場合、全画素撮像データによる撮影レンズ２のイメージサイズ判別の信頼性が低い。そこで最大輝度値が所定値以下である場合、ステップＳ２２に進んで、撮影レンズのイメージサイズを「小」であると見なすようにしている。
【０１１６】
ステップＳ２１において、ステップＳ１９で作成した輝度マップにおける中央部の輝度と周辺部の輝度とを比較する。この時、中央部と周辺部とで輝度差が例えばＥＶ３未満の場合、撮影レンズ２のイメージサイズは「大」であると判定してステップＳ２４に進む。また、中央と周辺部の輝度差がＥＶ３以上の場合、輝度マップの中央（Ｘ１６，Ｙ１０）を通るＸ軸、Ｙ軸方向の輝度変化を求める。図１６は、図１５の輝度マップに基づき作成されたＸ軸、Ｙ軸方向の輝度変化を示す図である。
【０１１７】
そして画面中央部の最大輝度値と画面周辺部の最小輝度値とを基にして有効撮像範囲を設定する。図１６に示す例では、最大輝度値１０と最小輝度値１との差の８０％の値を最大輝度値から最小輝度値側にとったところに閾値を設定し、この閾値よりも輝度が大きい範囲を有効撮像画素範囲とする。こうして得られたＸ軸、Ｙ軸方向の有効撮像画素範囲の画素アドレスからイメージサイズの直径を求める。そして、求められたイメージサイズ直径を、予め決められている撮像範囲「中」と「小」とを区別する所定値と比較し、イメージサイズ直径が所定値よりも大きいならば、撮影レンズのイメージサイズは「中」であると判定してステップＳ２３に進み、イメージサイズ直径が所定値以下であるならば、撮影レンズ２のイメージサイズは「小」であると判定してステップＳ２２に進む。
【０１１８】
ステップＳ２２、ステップＳ２３、ステップＳ２４ではそれぞれ、撮影レンズのイメージサイズを「小」、「中」、「大」であるとするイメージサイズ情報をメモリ３０に記憶する。
【０１１９】
ステップＳ２５において、システムコントローラ３は、撮影レンズ２のイメージサイズ情報の判別を行う。イメージサイズが「大」の時にはステップＳ２８に、イメージサイズが「中」の時にはステップＳ２７に、イメージサイズが「小」の時にはＳ２６に進む。
【０１２０】
ステップＳ２６において、システムコントローラ３は撮像範囲を「小」に設定する。
【０１２１】
ステップＳ２７において、システムコントローラ３は撮像範囲を「中」に設定する。
【０１２２】
ステップＳ２８において、システムコントローラ３は撮像範囲を「大」に設定する。
【０１２３】
ステップＳ２９において、ステップＳ１４でイメージサイズ情報なし撮影レンズの警告を行っていた場合には、警告を終了すると共に、ＬＣＤ４１の表示を、撮影レンズ２のイメージサイズ情報に連動させ、イメージサイズが「大」の時はアイコン「Ｌ」を、「中」の時はアイコン「Ｍ」を、「小」の時はアイコン「Ｎ」をＬＣＤ４１に表示する。
【０１２４】
そしてステップＳ３０において、電子カメラシステムはスタンバイ状態へと移行する。
【０１２５】
図１３及び図１４は、ステップＳ１７で実行されるレリーズシーケンスの詳細な手順を示すフローチャートである。
【０１２６】
ステップＳ１０１において、レリーズシーケンスがスタートする。
【０１２７】
ステップＳ１０２において、図１１のステップＳ１３で撮影レンズがイメージサイズ情報を持っていたと判別されたか否か、または図１２のステップＳ２２〜Ｓ２４においてイメージサイズ情報がメモリ３０に記憶されたか否かを判別する。イメージサイズ情報を持っていたと判別された場合またはイメージサイズ情報がメモリ３０に記憶された場合、ステップＳ１２０に進み、それ以外の場合ステップＳ１０３に進む。
【０１２８】
撮影レンズのイメージサイズが未だ確定していない場合、ステップＳ１０３において、レリーズＳＷ（１）５がオンされたか否かを判別する。レリーズＳＷ（１）５がオンしていない場合、撮影動作が中断されたと見なしてステップＳ１１９に進み、電子カメラシステムをスタンバイ状態にする。レリーズＳＷ（１）５がオンしていればステップＳ１０４に進む。
【０１２９】
ステップＳ１０４においては、測光、ＡＦの撮影準備動作を行う。
【０１３０】
ステップＳ１０５においては、レリーズＳＷ（２）６がオンしたか否かを判別する。オンしていなければステップＳ１０３に戻る。オンしていればステップＳ１０６に進む。
【０１３１】
ステップＳ１０６においては、ミラー１５、シャッター１３を駆動する。
【０１３２】
この後のステップＳ１０７〜Ｓ１１８の各処理は、図１１、図１２に示すステップＳ１８〜Ｓ２９の各処理と同じ内容である。そのため、それらの説明を省略する。
【０１３３】
ステップＳ１２０では、レリーズＳＷ（１）５がオンされたか否かを判別する。レリーズＳＷ（１）５がオンしていない場合、撮影動作が中断されたと見なしてステップＳ１１９に進み、電子カメラシステムをスタンバイ状態にする。レリーズＳＷ（１）５がオンしている場合ステップＳ１２１に進む。
【０１３４】
ステップＳ１２１においては、測光、ＡＦの撮影準備動作を行う。
【０１３５】
ステップＳ１２２においては、レリーズＳＷ（２）６がオンしたか否かを判別する。オンしていなければステップＳ１２０に戻る。オンしていればステップＳ１２３に進む。
【０１３６】
ステップＳ１２３においては、ミラー１５、シャッター１３を駆動し、そしてステップＳ１２４において撮像素子２４の全画素における画像データの取り込みを行う。取り込まれた全画素のデータは、撮像回路２５、Ａ／Ｄ変換回路２６を介してメモリ３０の所定の領域に一時的に記憶される。
【０１３７】
ステップＳ１２５において、撮像素子２４の全画素から得られた画像データを基に、イメージサイズ情報に基づき設定された撮像範囲に位置する画像データをシステムコントローラ３が切り出す。そして、切り出された画像信号に対して、拡大処理を施す。
【０１３８】
そしてステップＳ１２６において、切り出され拡大処理された画像データを記録媒体２７に記録し、ステップＳ１２７において電子カメラシステムをスタンバイ状態にする。
【０１３９】
上記の切出処理及び拡大処理は、第１の実施の形態における切出処理及び拡大処理とそれぞれ同じである。
【０１４０】
以上のように、第２の実施の形態では、装着された撮影レンズがイメージサイズ情報を持たない場合でも、撮像データを基に装着レンズのイメージサイズを推定して、撮像データを適切な画像サイズにて切り出すとともに、拡大処理を施すようにする。これにより、イメージサイズ情報を持たない撮影レンズがカメラ本体に装着された場合でも、ケラレのない撮影が可能となる。
【０１４１】
（他の実施の形態）
なお、前述した各実施の形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出して実行することによっても、本発明が達成されることは言うまでもない。
【０１４２】
この場合、記憶媒体から読み出されたプログラムコード自体が、前述の実施の形態の機能を実現することになり、そのプログラムコードを記憶した記憶媒体が本発明を構成することになる。
【０１４３】
プログラムコードを供給するための記憶媒体として、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１４４】
また、コンピュータが読み出したプログラムコードを実行することにより、前述した実施の形態の機能が実現されるだけでなく、そのプログラムコードの指示に基づき、コンピュータ上で稼働しているＯＳなどが実際の処理の一部または全部を行い、その処理によって前述した実施の形態の機能が実現される場合も、本発明に含まれることは言うまでもない。
【０１４５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も、本発明に含まれることは言うまでもない。
【０１４６】
【発明の効果】
以上詳述したように本発明によれば、装着された撮影レンズがイメージサイズ情報を持たない場合でも、撮像データを基に装着レンズのイメージサイズを推定する。更に、撮像データを適切な画像サイズにて切り出すとともに、拡大処理を施すようにする。これにより、イメージサイズ情報を持たない撮影レンズがカメラ本体に装着された場合でも、ケラレのない撮影が可能となる。
【図面の簡単な説明】
【図１】本発明に係る電子カメラシステムの第１の実施の形態の構成を示すブロック図（１／２）である。
【図２】本発明に係る電子カメラシステムの第１の実施の形態の構成を示すブロック図（２／２）である。
【図３】デジタルカメラ本体と撮影レンズとを示す斜視図である。
【図４】第１のアスペクト比に基づく画像切り出し領域を示す図である。
【図５】第２のアスペクト比に基づく画像切り出し領域を示す図である。
【図６】アスペクト比変更を行う画像切出処理の手順を示すフローチャートである。
【図７】第２の実施の形態における電子カメラシステムの一部の構成を示すブロック図である。
【図８】視野枠の切換え可能なファインダー光学系及び測光光学系の構成を示す側面図である。
【図９】透過型液晶板に表示される３つの異なる視野枠を示す図である。
【図１０】イメージサイズ情報に応じてＬＣＤに表示されるアイコンを示す図である。
【図１１】デジタルカメラ本体のシステムコントローラにおいて実行される撮影レンズのイメージサイズ推定処理及び画像切出処理の手順を示すフローチャート（１／２）である。
【図１２】デジタルカメラ本体のシステムコントローラにおいて実行される撮影レンズのイメージサイズ推定処理及び画像切出処理の手順を示すフローチャート（２／２）である。
【図１３】図１１のステップＳ１７で実行されるレリーズシーケンスの詳細な手順を示すフローチャート（１／２）である。
【図１４】図１１のステップＳ１７で実行されるレリーズシーケンスの詳細な手順を示すフローチャート（２／２）である。
【図１５】輝度マップの一例を示す図である。
【図１６】図１５の輝度マップに基づき作成されたＸ軸、Ｙ軸方向の輝度変化を示す図である。
【符号の説明】
１：デジタルカメラ本体
２：撮影レンズ
３：システムコントローラ（取得手段、判定手段、判別手段、推定手段、決定手段）
４：操作手段
５：レリーズＳＷ（１）
６：レリーズＳＷ（２）
７：撮影準備ＳＷ
８：ズームＳＷ
９：アスペクト比設定ＳＷ
１０：測色センサー
１１：ホワイトバランス用Ａ／Ｄ回路
１２：ホワイトバランス制御回路
１３：シャッター
１４：シャッター制御回路
１５：ミラー
１６：ミラー制御回路
１７：測距センサー
１８：測距回路
１９：ストロボ
２０：Ｉ／Ｆ手段（取得手段）
２１：駆動回路
２２：姿勢検知センサー
２３：レンズ着脱検知手段
２４：撮像素子
２５：撮像回路
２６：Ａ／Ｄ変換回路
２７：記録媒体（記憶装置）
２８：圧縮伸長回路
２９：画像処理回路（切出手段、拡大手段、格納手段）
３０：メモリ
３１：透過型液晶板
３２：ピント板
３３：ペンタプリズム
３４：測光ミラー
３５：測光レンズ
３６：測光センサー
３７：測光回路
３８：外部Ｉ／Ｆ
３９：発音体
４０：ＬＣＤ制御回路
４１：ＬＣＤ
４２：接眼レンズ
４３：ズームレンズ
４４：絞り部
４５：フォーカスレンズ
４６：ズームモータ
４７：絞りアクチュエータ
４８：ＡＦモータ
４９：記憶手段
５０：撮影レンズ装着検出用ピン
５１：カメラ側マウント
５２：撮影レンズ側マウント
５３：アスペクト比設定回路（保持手段）
５４：接続部
５５：イメージサイズ判別スタートＳＷ
５６：レリーズボタン
【図１】
0004988994.tif 000002
【図２】
0004988994.tif 000003
【図３】
0004988994.tif 000004
【図４】
0004988994.tif 000005
【図５】
0004988994.tif 000006
【図６】
0004988994.tif 000007
【図７】
0004988994.tif 000008
【図８】
0004988994.tif 000009
【図９】
0004988994.tif 000010
【図１０】
0004988994.tif 000011
【図１１】
0004988994.tif 000012
【図１２】
0004988994.tif 000013
【図１３】
0004988994.tif 000014
【図１４】
0004988994.tif 000015
【図１５】
0004988994.tif 000016
【図１６】
0004988994.tif 000017